(57)【要約】【課題】一枚の紙を折り曲げて形成される包装箱用の紙製中仕切り具を提供するものである。【解決手段】包装箱２内に収納する筒体３ａ，３ｂを支持するための紙製中仕切り具１であって、一枚の紙４を折り曲げて形成され、中央片５ａ，５ｂは筒体３ａ，３ｂを外装する凹状曲面からなり、両側には上面片７ａ，７ｂ，７ｃと側面片９ａ，９ｂと底面片１１ａ，１１ｂを連接してなり、上記中央片５ａ，５ｂに切り込み１２ａ，１２ｂを穿設してフラップ部１３ａ，１３ｂを形成し、該フラップ部１３ａ，１３ｂの先端を外側に折り曲げて糊代片１４ａ，１４ｂとし、該糊代片１４ａ，１４ｂを底面片１１ａ，１１ｂの先端に糊着してクッション性を付与した包装箱用紙製中仕切り具１等を構成するものである。【選択図】図１
0003131533.tif 000002
【実用新案登録請求の範囲】
【請求項１】
包装箱内に収納する筒体を支持するための紙製中仕切り具であって、一枚の紙を折り曲げて形成され、中央片は筒体を外装する凹状曲面からなり、前記中央片の両側には上面片と側面片と底面片を連接してなり、前記中央片に切り込みを穿設してフラップ部を形成し、該フラップ部の先端を外側に折り曲げて糊代片とし、該糊代片を底面片の先端に糊着してクッション性を付与したことを特徴とする包装箱用紙製中仕切り具。
【請求項２】
包装箱内に収納する筒体を支持するための紙製中仕切り具であって、一枚の紙を折り曲げて形成され、中央片は筒体を外装する凹状曲面からなり、前記中央片の両側には上面片と側面片と底面片を連接してなり、該底面片の先端を前記中央片の裏面に糊着したことを特徴とする包装箱用紙製中仕切り具。
【請求項３】
包装箱内に収納する筒体を支持するための紙製中仕切り具であって、一枚の紙を折り曲げて形成され、中央片は筒体を外装する凹状曲面からなり、前記中央片の両側には上面片と側面片と底面片を連接してなり、前記中央片に切り込みを穿設してフラップ部を形成し、該フラップ部に半円形のフラップ舌片を穿設し、一方底面に半円形の底面舌片を穿設し、前記フラップ舌片と底面舌片を係止して固定したことを特徴とする包装箱用紙製中仕切り具。
【請求項４】
前記凹状曲面が、２個からなる請求項１ないし請求項３のいずれかに記載の包装箱用紙製中仕切り具。
【請求項５】
前記上面片に、差込突片を両側に設け、包装箱の穿設孔に差込突片を挿入して固定した請求項１ないし請求項４のいずれかに記載の包装箱用紙製中仕切り具。
【請求項６】
前記２個の中央片の中央寄りに、夫々切込部を穿設し、両切込部を相互に糊着又は係止した請求項１ないし請求項５のいずれかに記載の包装箱用紙製中仕切り具。
【考案の詳細な説明】
【技術分野】
【０００１】
本考案は、包装箱用紙製中仕切り具に係るものであり、さらに詳しくは筒体の被包装物を包装箱内に収納して支持するためのトレ−状の紙製中仕切り具に関するものである。
【背景技術】
【０００２】
筒体の被包装物を包装箱内に収納するためには、筒体を外装する凹状曲面の中仕切り具が必要である。従来この中仕切り具は、真空成形のプラスチックシ−トが用いられてきた。しかし、燃焼することのできる自然にやさしい素材としては、紙製の中仕切り具であることが望ましい。
【０００３】
筒状の中仕切り具として、凹状曲面に折り曲げる必要があるが、各種の先行技術が提案されている（例えば特許文献１、特許文献２、実用新案文献１）。
【０００４】
【特許文献１】特開平６−８０１４７号公報
【特許文献２】特開平１０−７７０２８号公報
【特許文献３】実登第３０４７６９８号公報
【０００５】
しかし特許文献１は、上下の仕切りであって、凹状曲面に折り曲げるものではない。また特許文献２は、六面体に折り曲げるものである。さらに特許文献３は、瓶を包装するため、頭部に切り込みがあり本考案と相違する。
【０００６】
包装箱内に凹状曲面に折り曲げられた中仕切り具としての先行技術もある（例えば特許文献４）。
【０００７】
【特許文献４】特開平１１−５９７５８号公報
【０００８】
しかし特許文献３は、化粧紙と中枠本体の２枚の紙を組合せたものからなっている。
【考案の開示】
【考案が解決しようとする課題】
【０００９】
上記の事情に鑑み本考案は、一枚の紙を折り曲げて形成される包装箱用の紙製中仕切り具を課題とする。
【課題を解決するための手段】
【００１０】
本考案は、上記目的を達成するために、包装箱内に収納する筒体を支持するための紙製中仕切り具であって、一枚の紙を折り曲げて形成され、中央片は筒体を外装する凹状曲面からなり、中央片の両側には上面片と側面片と底面片を連接してなり、上記中央片に切り込みを穿設してフラップ部を形成し、該フラップ部の先端を外側に折り曲げて糊代片とし、該糊代片を底面片の先端に糊着してクッション性を付与した包装箱用紙製中仕切り具を構成するものである。
【００１１】
また本考案は、上記目的を達成するために、包装箱内に収納する筒体を支持するための紙製中仕切り具であって、一枚の紙を折り曲げて形成され、中央片は筒体を外装する凹状曲面からなり、中央片の両側には上面片と側面片と底面片を連接してなり、該底面片の先端を中央片の裏面に糊着した包装箱用紙製中仕切り具を構成するものである。
【００１２】
更に、本考案は、包装箱内に収納する筒体を支持するための紙製中仕切り具であって、一枚の紙を折り曲げて形成され、中央片は筒体を外装する凹状曲面からなり、前記中央片の両側には上面片と側面片と底面片を連接してなり、前記中央片に切り込みを穿設してフラップ部を形成し、該フラップ部に半円形のフラップ舌片を穿設し、一方底面に半円形の底面舌片を穿設し、前記フラップ舌片と底面舌片を係止して固定した包装箱用紙製中仕切り具を構成するものである。
【考案の効果】
【００１３】
本考案の包装箱用紙製中仕切り具は、紙製なので燃焼しても支障がなく、自然にやさしい素材として提供できる。
【００１４】
本考案の包装箱用紙製中仕切り具は、中央片の底面にフラップ部を設け、先端を外側に折り曲げて糊着させれば、クッション性を付与させることができる。
【考案を実施するための最良の形態】
【００１５】
以下、本考案の実施例を図面に基づいて詳しく説明する。
【実施例１】
【００１６】
図１は、本考案の包装箱用紙製中仕切り具と包装箱と収納する被包装物の筒体の一実施例を示す分解斜視図、図２は、本考案の包装箱用紙製中仕切り具の一実施例を示す展開図、図３は、図２の包装箱用紙製中仕切り具を折り曲げて組み立てた状態を示す上面から俯瞰した斜視図、図４は、図３の包装箱用紙製中仕切り具を下面から俯瞰した斜視図、図５は、図４の包装箱用紙製中仕切り具の糊代片を底面片の先端に糊着してクッション性を付与した状態を示す拡大縦断面図である。
【００１７】
本考案の紙製中仕切り具１は、包装箱２内に収納する被包装体からなる筒体３を支持するためのものである。本実施例の筒体３ａ，３ｂは、直径が６．５cm、長さが１２cmのお茶の缶からなっている。
【００１８】
紙製中仕切り具１は、一枚の紙４を折り曲げて形成される。中央片５ａ，５ｂは、筒体３ａ，３ｂを外装する凹状曲面に折り曲げられる。なお本実施例は、２個の筒体３ａ，３ｂを収納する例を示すが、本考案の紙製中仕切り具１は、１個の筒体に対応させることもできる。
【００１９】
中央片５ａ，５ｂの両側には、折目線６ａ，６ｂ，６ｃ，６ｄを介して、上面片７ａ，７ｂ，７ｃが連接されている。本実施例場合には、上面片７ａと７ｃが両端にあり、上面片７ｂが中央の仕切りになっている。本実施例の上面片７ａと７ｃの両端には、折目線８ａ，８ｂを介して、側面片９ａ，９ｂが連接している。そして側面片９ａ，９ｂの両端には、折目線１０ａ，１０ｂを介して、底面片１１ａ，１１ｂを連接している。
【００２０】
また本実施例の場合、中央片５ａ，５ｂの中央底部に、切り込み１２ａ，１２ｂを穿設してフラップ部１３ａ，１３ｂを形成している。このフラップ部１３ａ，１３ｂの先端を外側に折り曲げて糊代片１４ａ，１４ｂとし、この糊代片１４ａ，１４ｂを底面片１１ａ，１１ｂの先端に糊着してクッション性を付与するようにする。
【００２１】
また中央の上面片７ｂに、差込突片１５ａ，１５ｂを両側に設け、包装箱２に穿設した両穿設孔１６ａ，１６ｂに挿入して、紙製中仕切り具１を包装箱２内に固定する。さらに２個の中央片５ａ，５ｂの中央寄りに、夫々切込部１７ａ，１７ｂを穿設し、この切込部１７ａ，１７ｂを相互に糊着して固定する。
【００２２】
このようにして、包装箱２内に固定さした紙製中仕切り具１の中央片５ａ，５ｂで形成さした凹状曲面内に、筒体３ａ，３ｂを内装し、蓋１８を被覆して包装する。
【実施例２】
【００２３】
図６は、本考案の包装箱用紙製中仕切り具の別の実施例を示す展開図、図７は、図６の包装箱用紙製中仕切り具を折り曲げて組み立てた状態を示す上面から俯瞰した斜視図、図８は、図７の包装箱用紙製中仕切り具を下面から俯瞰した斜視図、図９は、図８の包装箱用紙製中仕切り具の底面片の先端を中央片の裏面に糊着した状態を示す拡大縦断面図である。
【００２４】
この実施例の紙製中仕切り具１０１は、一枚の紙１０４を折り曲げて形成される。中央片１０５ａ，１０５ｂは、筒体を外装する凹状曲面に折り曲げられる。なお本実施例は、２個の筒体を収納する例を示すが、本考案の紙製中仕切り具１０１は、１個の筒体に対応させることもできる。
【００２５】
中央片１０５ａ，１０５ｂの両側には、折目線１０６ａ，１０６ｂ，１０６ｃ，１０６ｄを介して、上面片１０７ａ，１０７ｂ，１０７ｃが連接されている。本実施例場合には、１０７ａと１０７ｃの上面片が両端にあり、１０７ｂの上面片が中央の仕切りになっている。本実施例の上面片１０７ａと１０７ｃの両端には、折目線１０８ａ，１０８ｂを介して、側面片１０９ａ，１０９ｂが連接している。そして側面片１０９ａ，１０９ｂの両端には、折目線１１０ａ，１１０ｂを介して、底面片１１１ａ，１１１ｂを連接している。
【００２６】
また本実施例の場合は、底面片１１１ａ，１１１ｂの先端を、直接中央片１０５ａ，１０５ｂの裏面に糊着しており、クッション性は付与してない。
【００２７】
また中央の上面片１０７ｂに、差込突片１１５ａ，１１５ｂを両側に設け、包装箱に穿設した両穿設孔に挿入して、紙製中仕切り具１０１を包装箱内に固定する。さらに２個の中央片１０５ａ，１０５ｂの中央寄りに、夫々切込部１１７ａ，１１７ｂを穿設し、この切込部１１７ａ，１１７ｂを相互に糊着して固定する。
【００２８】
このようにして、包装箱内に固定さした紙製中仕切り具１０１の中央片１０５ａ，１０５ｂで形成さした凹状曲面内に、筒体を内装し、蓋を被して包装する。
【実施例３】
【００２９】
図１０は、本考案の包装箱用紙製中仕切り具の更に別の実施例を示す展開図、図１１は、図１０の包装箱用紙製中仕切り具を折り曲げて組み立てた状態を示す上面から俯瞰した斜視図、図１２は、図１１の包装箱用紙製中仕切り具を下面から俯瞰した斜視図、図１３は、図１２の包装箱用紙製中仕切り具の底面片の先端を中央片の裏面に係止した状態を示す拡大縦断面図である。
【００３０】
この実施例の紙製中仕切り具２０１は、一枚の紙２０４を折り曲げて形成される。中央片２０５ａ，２０５ｂは、筒体を外装する凹状曲面に折り曲げられる。なお本実施例は、２個の筒体を収納する例を示すが、本考案の紙製中仕切り具２０１は、１個乃至３個の筒体に対応させることもできる。
【００３１】
中央片２０５ａ，２０５ｂの両側には、折目線２０６ａ，２０６ｂ，２０６ｃ，２０６ｄを介して、上面片２０７ａ，２０７ｂ，２０７ｃが連接されている。本実施例場合には、上面片２０７ａと２０７ｃが両端にあり、上面片２０７ｂが中央の仕切りになっている。本実施例の上面片２０７ａと２０７ｃの両端には、折目線２０８ａ，２０８ｂを介して、側面片２０９ａ，２０９ｂが連接している。そして側面片２０９ａ，２０９ｂの両端には、折目線２１０ａ，２１０ｂを介して、底面片２１１ａ，２１１ｂを連接している。
【００３２】
また本実施例の場合、中央片２０５ａ，２０５ｂの中央底部に、切り込み２１２ａ，２１２ｂを穿設してフラップ部２１３ａ，２１３ｂを形成している。このフラップ部２１３ａ，２１３ｂの中央には半円形のフラップ舌片２１９ａ，２１９ｂが穿設されている。一方、底面片２１１ａ，２１１ｂの中央にも半円形の底面舌片２２０ａ，２２０ｂを穿設している。このフラップ舌片２１９ａ，２１９ｂと底面舌片２２０ａ，２２０ｂを係止させて固定しており、本実施例の場合は、クッション性は付与してない。
【００３３】
また中央の上面片２０７ｂに、差込突片２１５ａ，２１５ｂを両側に設け、包装箱に穿設した両穿設孔に挿入して、紙製中仕切り具２０１を包装箱内に固定する。さらに２個の中央片２０５ａ，２０５ｂの中央寄りに、夫々切込部２１７ａ，２１７ｂを穿設し、図１２に示すように、切込部２１７ａ，２１７ｂに係止舌片２２１ａ，２２１ｂを穿設させて、これを相互に係止して固定させる。
【００３４】
このようにして、包装箱内に固定さした紙製中仕切り具２０１の中央片２０５ａ，２０５ｂで形成させた凹状曲面内に、筒体を内装し、蓋を被して包装する。
【００３５】
以上、実施例１、実施例２、実施例３も、凹状曲面が２個の例を示したが、１個あるいは３個収納用とすることもできる。
【図面の簡単な説明】
【００３６】
【図１】本考案の包装箱用紙製中仕切り具と包装箱と収納する被包装物の筒体の一実施例を示す分解斜視図である。
【図２】本考案の包装箱用紙製中仕切り具の一実施例を示す展開図である。
【図３】図２の包装箱用紙製中仕切り具を折り曲げて組み立てた状態を示す上面から俯瞰した斜視図である。
【図４】図３の包装箱用紙製中仕切り具を下面から俯瞰した斜視図である。
【図５】図４の包装箱用紙製中仕切り具の底面片の先端を中央片の裏面に糊着した状態を示す拡大縦断面図である。
【図６】本考案の包装箱用紙製中仕切り具の別の実施例を示す展開図である。
【図７】図６の包装箱用紙製中仕切り具を折り曲げて組み立てた状態を示す上面から俯瞰した斜視図である。
【図８】図７の包装箱用紙製中仕切り具を下面から俯瞰した斜視図である。
【図９】図８の包装箱用紙製中仕切り具の底面片の先端を中央片の裏面に糊着した状態を示す拡大縦断面図である。
【図１０】本考案の包装箱用紙製中仕切り具の更に別の実施例を示す展開図である。
【図１１】図１０の包装箱用紙製中仕切り具を折り曲げて組み立てた状態を示す上面から俯瞰した斜視図である。
【図１２】図１１の包装箱用紙製中仕切り具を下面から俯瞰した斜視図である。
【図１３】図１２の包装箱用紙製中仕切り具の底面片の先端を中央片の裏面に係止した状態を示す拡大縦断面図である。
【符号の説明】
【００３７】
１，１０１                                        紙製中仕切り具
２                                                包装箱
３ａ，ｂ                                          筒体
４，１０４                                        一枚の紙
５ａ，ｂ，１０５ａ，ｂ，２０５ａ，ｂ                中央片
６ａ，ｂ，ｃ，ｄ，８ａ，ｂ，１０ａ，ｂ              折目線
１０６ａ，ｂ，ｃ，ｄ，１０８ａ，ｂ，１１０ａ，ｂ                  折目線
２０６ａ，ｂ，ｃ，ｄ，２０８ａ，ｂ，１１０ａ，ｂ                  折目線
７ａ，ｂ，ｃ，１０７ａ，ｂ，ｃ，２０７ａ，ｂ，ｃ                  上面片
９ａ，ｂ，１０９ａ，ｂ，２０９ａ，ｂ                              側面片
１１ａ，ｂ，１１１ａ，ｂ，２１１ａ，ｂ                            底面片
１２ａ，ｂ，２１２ａ，ｂ                                          切り込み
１３ａ，ｂ，２１３ａ，ｂ                                          フラップ部
１４ａ，ｂ                                                      糊代片
１５ａ，ｂ，１１５ａ，ｂ，２１５ａ，ｂ                            差込突片
１６ａ，ｂ                                                      穿設孔
１７ａ，ｂ，１１７ａ，ｂ，２１７ａ，ｂ                            切込部
１８                                                            蓋
２１９ａ，ｂ                                                    フラップ舌片
２２０ａ，ｂ                                                    底面舌片
２２１ａ，ｂ                                                    係止舌片
【図１】
0003131533.tif 000003
【図２】
0003131533.tif 000004
【図３】
0003131533.tif 000005
【図４】
0003131533.tif 000006
【図５】
0003131533.tif 000007
【図６】
0003131533.tif 000008
【図７】
0003131533.tif 000009
【図８】
0003131533.tif 000010
【図９】
0003131533.tif 000011
【図１０】
0003131533.tif 000012
【図１１】
0003131533.tif 000013
【図１２】
0003131533.tif 000014
【図１３】
0003131533.tif 000015
【手続補正書】
【提出日】平成19年3月6日(2007.3.6)
【手続補正１】
【補正対象書類名】実用新案登録請求の範囲
【補正対象項目名】請求項６
【補正方法】変更
【補正の内容】
【請求項６】
前記中央片の中央寄りに、夫々切込部を穿設し、両切込部を相互に糊着又は係止した請求項１ないし請求項５のいずれかに記載の包装箱用紙製中仕切り具。